(57)【要約】【課題】誘引作業を比較的簡便に行うことのできるシンプルな構成の誘引部材を提供することにある。【解決手段】支柱１０を、支持材４０の延びる方向に移動可能に掛け止めながら下方に向けて配置したのち、植物ＰＴの茎を、支柱１０に沿って配置しつつ保持具２０Ａ〜２０Ｃにて保持する構成の誘引部材２において、保持具２０Ａ〜２０Ｃが、植物ＰＴの茎を保持した状態で支柱１０の延びる方向に相対移動可能とされて支柱１０に取付け可能である。【選択図】図２
2017035010.tif 000002
【特許請求の範囲】
【請求項１】
上方に掛け渡された線状の支持材に掛け止め可能な棒状の支柱と、前記支柱に取付けられて植物の茎を保持可能な保持具とを備え、
前記支柱を、前記支持材の延びる方向に移動可能に掛け止めながら下方に向けて配置したのち、前記植物の茎を、前記支柱に沿って配置しつつ前記保持具にて保持する構成の誘引部材において、
前記保持具が、前記植物の茎を保持した状態で前記支柱の延びる方向に相対移動可能とされて前記支柱に取付け可能である誘引部材。
【発明の詳細な説明】
【技術分野】
【０００１】
本発明は、植物を誘引可能な棒状の支柱と、支柱に対して植物を保持可能な保持具とを備えた誘引部材に関する。
【背景技術】
【０００２】
例えばトマトなどの蔓性の植物においては、植物の茎を、上方に掛け渡されたワイヤ状の支持材から垂下する支柱に誘引して生長させる栽培方法がとられている。そして植物の茎が支持材を超えて生長した際には、支柱に対して植物の茎を適宜下方にずらし、このずらした茎の部分を地面に沿って配置する。この栽培方法においては、植物の茎が支柱から離れて倒れないように、植物の茎の適所を、クリップ等の保持具を介して支柱に保持する必要がある。
【０００３】
例えば特許文献１に開示のクリップは、一対の挟持片を中央の支点を介して連結した竿ピンチ状の部材であり、茎保持部と、紐挟み部と、摘み部を有する。茎保持部は、クリップの一端側に設けた輪状の部位であり、各挟持片を外側に向けて略半円状に湾曲させることで形成されている。また紐挟み部は、紐状の支柱を把持可能な部位であり、茎保持部をなす各挟持片の根元側に設けられている。そして摘み部は、クリップの他端側に設けられた持ち手部分であり、各挟持片を末端に向かうにつれて次第に離れる向きに傾斜させることで形成される。この摘み部をなす各挟持片部分は、金属バネによって互いに離れる方向に付勢されている。
【０００４】
公知技術においては、摘み部をなす各挟持片同士を付勢力に抗して近づけることで、クリップ中央の支点を回転中心として、茎保持部及び紐挟み部をなす各挟持片同士が互いに離れる方向に移動して開き状態となる。そこで植物の茎を支柱に沿わせながら、開き状態の茎保持部に植物の茎を挿入するとともに、茎保持部の根元に設けた紐挟み部に支柱を挿入する。そして摘み部が付勢力により互いに離れる方向に移動することで、茎保持部が閉じ状態とされて植物の茎を保持すると同時に、紐挟み部にて支柱が把持される。こうして植物の茎を保持したクリップが、紐挟み部を介して支柱に相対移動不能に取付けられることで、植物の茎が支柱から離れて倒れないように保持することができる。
【先行技術文献】
【特許文献】
【０００５】
【特許文献１】特開２０１３−２５５４７６号公報
【発明の概要】
【発明が解決しようとする課題】
【０００６】
そして植物の茎が生長した際には、クリップを支柱から外したのち、支柱に対して植物の茎を下方にずらす。このため公知技術の構成では、誘引作業時において、植物の茎が支柱から離れないように双方を作業者が持ちながら作業する必要があり、やや作業性に劣る構成であった。特に複数の植物を同時に栽培する際には、これら複数の植物の誘引作業を連続して行う必要があり、個々の植物の誘引作業を簡便に行いたいとの要請があった。なお別案として、紐状の支柱が巻装されたローラを支持材に取付けて、このローラから支柱を適宜引き出しながら、植物の茎を、クリップとともに下方にずらすこともできる。しかしながらこの種のローラを用いた構成では、誘引部材の構成が複雑化して製造コストが高騰するという問題がある。本発明は上述の点に鑑みて創案されたものであり、本発明が解決しようとする課題は、誘引作業を比較的簡便に行うことのできるシンプルな構成の誘引部材を提供することにある。
【課題を解決するための手段】
【０００７】
上記課題を解決するための手段として、第１発明の誘引部材は、上方に掛け渡された線状の支持材に掛け止め可能な棒状の支柱と、支柱に取付けられて植物の茎を保持可能な保持具とを備える。そして支柱を、支持材の延びる方向に移動可能に掛け止めながら下方に向けて配置したのち、植物の茎を、支柱に沿って配置しつつ保持具にて保持する。そして植物の生長にあわせて、植物の茎を支柱に対して下方にずらすのであるが、この種の誘引作業は比較的簡便に行えることが望ましい。そこで本発明では、保持具が、植物の茎を保持した状態で支柱の延びる方向に相対移動可能とされて支柱に取付け可能である。本発明では、支柱に対して植物の茎を下方にずらす際に、保持具が、植物の茎を保持した状態で支柱の延びる方向である下方向に相対移動する。このため植物の茎を、保持具によって支柱との相対位置関係を保ちつつ、保持具とともに下方にずらすことができる。
【発明の効果】
【０００８】
本発明に係る第１発明によれば、誘引作業を比較的簡便に行うことのできるシンプルな構成の誘引部材を提供することができる。
【図面の簡単な説明】
【０００９】
【図１】誘引部材に誘引された植物の外観図である。
【図２】誘引作業時における誘引部材と植物の外観図である。
【図３】支柱の側面図である。
【図４】保持具の斜視図である。
【図５】保持具の上面図である。
【図６】斜めに倒した状態の保持具の側面図である。
【図７】変形例１にかかる保持具の概略上面図である。
【図８】変形例２にかかる保持具の概略上面図である。
【図９】変形例３にかかる保持具の概略上面図である。
【図１０】変形例４にかかる保持具一部の概略上面図である。
【図１１】変形例５にかかる保持具一部の概略上面図である。
【図１２】変形例６にかかる保持具一部の概略上面図である。
【発明を実施するための形態】
【００１０】
以下、本発明を実施するための形態を、図１〜図１２を参照して説明する。各図には、便宜上、誘引部材の上方に符号ＵＰ、誘引部材の下方に符号ＤＷ、誘引部材の右方に符号Ｒ、誘引部材の左方に符号Ｌを付すことがある。図１の誘引部材２は、植物ＰＴを誘引して栽培するための部材であり、支柱１０と、複数の保持具２０Ａ〜２０Ｃを備える（各部材の詳細は後述する）。ここで植物ＰＴの種類は、誘引して栽培可能である限り特に限定しないが、トマト、きゅうり、ナス、パプリカ、エンドウなどの野菜類、リンゴやイチジクなどの果物類、つるバラなどの花類を例示できる。
【００１１】
本実施例では、図１及び図２を参照して、上方に掛け渡されたワイヤ状又はパイプ状の支持材４０に支柱１０を掛け止めたのち、上下方向に延びる支柱１０に、植物ＰＴの茎を誘引しつつ複数の保持具２０Ａ〜２０Ｃを介して保持する。そして植物ＰＴの茎が生長して支持材４０を越えたタイミングで、後述するように支柱１０を操作して植物ＰＴの茎を下方にずらすのであるが、このとき植物ＰＴの茎が支柱１０から離れるなどして作業性が悪化することが懸念される。そこで本実施例では、後述するように、シンプルな構成の誘引部材２によって、植物ＰＴの誘引作業を比較的簡便に行うこととした。以下、誘引部材２の各構成について詳述する。
【００１２】
［支柱］
支柱１０は、図１〜図３を参照して、適度な強度を備えた棒状部材であり、フック部１２と、抜止め部１４を有する。フック部１２は、支柱１０の上端側を略逆Ｊ字状に湾曲させてなる部位であり、支持材４０に掛止め可能であるとともに、掛止状態において支持材４０の延びる方向（図２においては左方向）に相対移動可能である。また抜止め部１４は、支柱１０の下端側を輪状に湾曲させてなる部位であり、後述する保持具２０Ａ〜２０Ｃの抜け外れを阻止することができる。そして支柱１０は、例えば抜止め部１４側を把持しつつ起立させた際に、フック部１２側を、撓ませることなく自立させた状態にできる程度の強度を備えており、典型的に金属や硬質樹脂にて形成することができる。このように支柱１０が自立可能な強度を備えることで、抜止め部１４側を把持して支柱１０を起立させながら、フック部１２を、上方の支持材４０に掛け止めることができる。すなわちこの支柱１０によれば、高所作業車や脚立などを要することなく、高い位置での誘引作業を行うことができる。
【００１３】
［保持具］
複数の保持具２０Ａ〜２０Ｃは、図１及び図２を参照して、それぞれ支柱１０に取付けられて植物ＰＴの茎を保持する平板状の部材である。ここで各保持具２０Ａ〜２０Ｃは略同一構成を有することから、図４〜図６を参照して、一つの保持具２０Ａを一例に詳細を説明する。この保持具２０Ａの材質は、植物ＰＴの茎を安定的に保持可能である限り特に限定しないが、本実施例の保持具２０Ａは樹脂成形品であり、後述する取付け部２２と保持部２６を一体的に備える。そして保持具２０Ａは、支柱１０に略水平となるように取付けられた状態（図６の二点破線で示す状態を参照）において、上方を向く上面２２ｘと下方を向く下面２２ｙのそれぞれの周縁に沿って、図５に示すリブＲＢが凸設されて強度に優れる構成とされている。
【００１４】
そして取付け部２２は、図４及び図５を参照して、支柱１０に取付け可能な上面視で略台形状の部位であり、上底部２２ａと、下底部２２ｂと、一対の脚辺部２２ｃ，２２ｄとを有する。上底部２２ａは、後述する保持部２６の内面と一体化しており、下底部２２ｂは、上底部２２ａに比して幅広とされて取付け部２２の端部に配置する。この取付け部２２には、取付け部２２を厚み方向に貫通しつつ一方の脚辺部２２ｃに開口する長孔状の挿設部２４が設けられている。この挿設部２４の奥方は、上方視で略円形状をなしており、支柱１０を摺動可能に配置することができる。そして本実施例においては、支柱１０を、一方の脚辺部２２ｃ側から挿設部２４に摺動可能に挿設することで、保持具２０Ａが、支柱１０に対して上下方向に相対移動可能に取付けられることとなる。
【００１５】
また保持部２６は、図４〜図６を参照して、一対の保持片２８，２９にて形成された上面視で輪状の部位であり、内部に植物ＰＴの茎を保持可能である。これら一対の保持片２８，２９は、取付け部２２の上底部２２ａの各端部から突出しつつ互いに離れる方向に円弧状に湾曲してなる平板片である。そして一対の保持片２８，２９の末端が適宜の間隔をあけて配置されることで、これら末端同士の間に、植物ＰＴの茎を挿入可能な開口部３０が形成される。本実施例においては、保持具２０Ａを略水平にした状態（図６の二点破線で示す状態）を基準として、両保持片２８，２９の末端が上下方向に大きく離間して配置する（上下方向における離間寸法Ｄ２）。そして図６を参照して、上下方向に延びる植物ＰＴの茎に対して保持具２０Ａを傾けつつ、両保持片２８，２９の末端側を植物ＰＴの茎に対して平行に配置する。このとき両保持片２８，２９の末端の上下方向における離間寸法Ｄ２を、植物ＰＴの茎の寸法Ｄ１よりも大きくしておくことで、開口部３０から植物ＰＴの茎をスムーズに挿入することができる。また図５を参照して、保持具２０Ａを上方から見た場合における両保持片２８，２９の末端同士の離間寸法Ｄ３は、植物ＰＴの茎の寸法Ｄ１に比して小さくされている。このため保持具２０Ａを略水平に戻した状態においては、両保持片２８，２９の末端同士の間が狭小となり、開口部３０からの植物ＰＴの茎の抜け外れが好適に阻止されることとなる。
【００１６】
［誘引作業］
図１を参照して、上方に掛け渡された支持材４０に支柱１０のフック部１２を掛け止めながら、支持材４０から支柱１０を垂下させて抜止め部１４を下端に配置する。そして植物ＰＴの茎を、支柱１０に沿わせながら栽培するのであるが、このとき植物ＰＴの茎が支柱１０から離れて倒れないように、複数の保持具２０Ａ〜２０Ｃを介して植物ＰＴの茎を支柱１０に保持する。本実施例においては、各保持具２０Ａ〜２０Ｃを、この順で支柱１０の上から下に適宜の間隔をあけて取付ける。このとき図６を参照して、各保持具２０Ａ〜２０Ｃを傾けながら植物ＰＴの茎を開口部３０からスムーズに挿入して保持部２６内に保持する。つぎに各保持具２０Ａ〜２０Ｃを略水平な状態に戻しつつ、図５を参照して、取付け部２２の挿設部２４に支柱１０を挿入する。そして図１を参照して、各保持具２０Ａ〜２０Ｃが、植物ＰＴの茎の自重により支柱１０から離れるに従って次第に下方に傾く傾斜姿勢となることで、挿設部２４の内壁に支柱１０が係止される。こうして各保持具２０Ａ〜２０Ｃが、植物ＰＴの茎を保持した状態で支柱１０の適所に留め置かれることとなる。
【００１７】
そして図２を参照して、植物ＰＴの茎が支持材４０を超えて生長した際には、支柱１０に対して植物ＰＴの茎を下方にずらし、このずらした茎の部分を地面に沿って配置する。このとき本実施例では、支持材４０上の支柱１０を、植物ＰＴの根から離れる向き（図２では左方向）に移動させることで、支柱１０に対して植物ＰＴの茎を下方にずらすことができる。そして上述の誘引作業時においては、作業性向上の観点から、植物ＰＴの茎が支柱１０から離れないようにこれらの相対位置関係を保持しつつ支柱１０を移動させることが望ましい。
【００１８】
本実施例では、各保持具２０Ａ〜２０Ｃが、植物ＰＴの茎を保持した状態で支柱１０の延びる方向に相対移動可能とされて支柱１０に取付けられている。すなわち植物ＰＴの茎を下方にずらす前に、植物ＰＴの茎を上方に持ち上げて支柱１０に対して各保持具２０Ａ〜２０Ｃを略水平に配置することにより、支柱１０に対する挿設部２４の係止が解除される。この状態で各保持具２０Ａ〜２０Ｃが、植物ＰＴの茎を保持した状態で支柱１０の延びる上下方向に相対移動可能となる。そこで作業者が、支柱１０を片手で持ちながら植物ＰＴの根から離れる向き（図２では左方向）に移動させることで、支柱１０に対して植物ＰＴの茎を下方にずらす。このとき植物ＰＴの茎は、各保持具２０Ａ〜２０Ｃに保持されながらこれらとともに下方にずれるため、作業者が植物ＰＴの茎を持つ必要がなく、比較的簡便に上記作業を行うことができる。そしてもっとも下方に配置する保持具２０Ｃが、支柱１０の抜止め部１４に突き当った際には、この保持具２０Ｃを支柱１０から外して、支柱１０の上方（保持具２０Ａの上方）に付け直すことができる。
【００１９】
以上説明したとおり本実施例では、支柱１０に対して植物ＰＴの茎を下方にずらす際に、各保持具２０Ａ〜２０Ｃが、植物ＰＴの茎を保持した状態で支柱１０の延びる方向である下方向に相対移動する。このため植物ＰＴの茎を、各保持具２０Ａ〜２０Ｃによって支柱１０との相対位置関係を保ちつつ、各保持具２０Ａ〜２０Ｃとともに下方にずらすことができる。そしてこの誘引部材２は、支柱１０と各保持具２０Ａ〜２０Ｃで構成されており、例えば紐状の支柱を巻装可能なローラを用いた構成に比してシンプルな構成とされている。さらに保持部２６は、公知技術のクリップで例示したような可動部分が設けられていないシンプルな構成である。この結果として本実施例によれば、誘引作業を比較的簡便に行うことのできるシンプルな構成の誘引部材２を提供することができる。特に本実施例では、誘引部材２によって、作業者が片手で誘引作業を行うことができる。このため複数の植物を同時に栽培する際に、これら複数の植物の誘引作業を、誘引部材２を用いて簡便な作業で連続して行うことができる。
【００２０】
［保持部の変形例］
ここで保持部の構成は、上述の構成のほか、各種の構成を取り得る。例えば図７を参照して、変形例１の保持具２１Ａでは、保持部２６Ａが、取付け部２２の上底部２２ａ一端から突出した保持片２８Ａによって形成される。この保持片２８Ａは、上面視で略逆Ｕ字状に湾曲しつつ、その自由端側が、上底部２２ａの他端側を向いている。そして保持片２８Ａの自由端と上底部２２ａ間に開口部３０が形成される。本変形例では、単一の保持片２８Ａによって保持部２６Ａが形成されるため、保持具２０Ａの構成を簡略化することができる。
【００２１】
また図８を参照して、変形例２の保持具２１Ｂでは、保持部２６Ｂが、互いに近づく向きに略Ｊ字状に湾曲する一対の保持片２８Ｂ，２９Ｂにて形成される。一方の保持片２８Ｂは、取付け部２２の上底部２２ａ一端から突出しつつ、上面視で略Ｊ字状に湾曲する。また他方の保持片２９Ｂは、上底部２２ａ他端からから突出しつつ、一方の保持片２８Ｂの内側に配置しながら上面視で略逆Ｊ字状に湾曲する。そして一方の保持片２８Ｂ内面と、他方の保持片２９Ｂ外面の間には通路３１が形成されており、この通路３１を通って、植物の茎が、開口部３０と保持部２６Ｂ内を行き来することができる。こうして本変形例では、開口部３０と保持部２６Ｂ内を連通する通路３１を設けたことで、保持部２６Ｂからの植物の茎の脱落が好適に阻止されて、植物の茎の保持性能に優れる構成となる。さらに本変形例では、開口部３０における両保持片２８Ｂ，２９Ｂ同士の離間寸法（開口部の開口寸法）が通路３１に比して狭小とされているため、植物の茎の脱落をさらに好適に阻止することができる。
【００２２】
また図９を参照して、変形例３の保持具２１Ｃでは、保持部２６Ｃが、互いに近づく向きに略四半円弧状に湾曲する一対の保持片２８Ｃ，２９Ｃにて形成される。一方の保持片２８Ｃは、取付け部２２の上底部２２ａ一端から突出しつつ、上面視で略四半円弧状に湾曲する。また他方の保持片２９Ｃは、上底部２２ａ他端から突出しながら上面視で略四半円弧状に湾曲しつつ、その末端側が一方の保持片２８Ｃの内側に配置する。そして両保持片２８Ｃ，２９Ｃの間に形成された通路３１ａの寸法は開口部３０に至るまで略同一に設定されており、植物の茎を、開口部３０と保持部２６Ｃ内で比較的スムーズに行き来させることができる。このため本変形例の保持部２６Ｃは、植物の茎の挿入性能及び取外し性能に優れる構成となる。
【００２３】
［取付け部の変形例］
また取付け部の構成も、上述の構成のほか、各種の構成を取り得る。例えば図１０を参照して、変形例４の保持具２１Ｄでは、取付け部２２に傾斜状の挿設部２４Ｄが形成されている。この挿設部２４Ｄは、一方の脚辺部２２ｃに開口するとともに、奥方に向かうにつれて次第に下底部２２ｂ側に傾斜している。また図１１を参照して、変形例６の保持具２１Ｅにも、取付け部２２に傾斜状の挿設部２４Ｅが形成されている。この挿設部２４Ｅは、他方の脚辺部２２ｄに開口するとともに、奥方に向かうにつれて次第に上底部２２ａ側に傾斜している。こうして各変形例において、各挿設部２４Ｄ，２４Ｅを傾斜状に設けたことで、取付け部２２から支柱が抜けにくくなり、支柱に対する取付け性能に優れる構成となる。
【００２４】
また図１２を参照して、変形例６の保持具２１Ｆでは、取付け部２２の上底部２２ａ側に開口する挿設部２４Ｆが形成されている。この挿設部２４Ｆは、上方視で略Ｌ字状をなしており、上底部２２ａから下底部２２ｂ側に直線状に延びたのち、他方の脚辺部２２ｄ側に向けて屈曲する。この保持具２１Ｆにおいては、支柱を、植物の茎とともに保持部側から挿入することができる。
【００２５】
本実施形態の誘引部材は、上述した実施形態に限定されるものではなく、その他各種の実施形態を取り得る。例えば本実施形態では、保持具の構成（形状，寸法，取付け位置，取付け数，各部の構成など）を例示したが、同部材の構成を限定する趣旨ではない。例えば保持部に、一対の保持片を開閉するための機構を設けて各保持片を可動させることができ、この場合には、一対の保持片の末端同士を当接させて閉じ状態とすることができる。また取付け部には、複数の挿設部を設けることができ、この場合には、各挿設部を、上底部と下底部と一対の脚辺部の少なくとも一つの部位に開口させることができる。また挿設部は、取付け部を貫通する孔部であってもよい。
【００２６】
また本実施形態では、支柱の構成（形状，寸法，各部の構成など）を例示したが、同部材の構成を限定する趣旨ではない。例えばフック部の形状は適宜変更可能であり、抜止め部の形状も適宜変更可能である。なお支柱に別部材を組み付けることで抜止め部を形成することができ、抜止め部を省略することもできる。
【００２７】
また本実施例の構成と各変形例の構成は適宜組み合わせて用いることができる。また保持具は、保持部と取付け部を一体成形する構成のほか、保持部と取付け部を別体として成形したのちこれらを組付けて一体とする構成でもよい。
【符号の説明】
【００２８】
２     誘引部材
１０   支柱
１２   フック部
１４   抜止め部
２０Ａ〜２０Ｃ  保持具
２２   取付け部
２２ｘ 上面
２２ｙ 下面
２２ａ 上底部
２２ｂ 下底部
２２ｃ，２２ｄ  脚辺部
２４   挿設部
２６   保持部
２８， 両保持片
２８，２９  保持片
３０   開口部
４０   支持材
ＰＴ   植物
ＲＢ   リブ
【図１】
2017035010.tif 000003
【図２】
2017035010.tif 000004
【図３】
2017035010.tif 000005
【図４】
2017035010.tif 000006
【図５】
2017035010.tif 000007
【図６】
2017035010.tif 000008
【図７】
2017035010.tif 000009
【図８】
2017035010.tif 000010
【図９】
2017035010.tif 000011
【図１０】
2017035010.tif 000012
【図１１】
2017035010.tif 000013
【図１２】
2017035010.tif 000014